(57)【要約】【課題】ユーザーに手間がかかる動作をおこなわせることなく、入力デバイスを一時的かつ安定的に保持すること。【解決手段】情報処理装置１００は、筐体１１０と、情報入力用の入力デバイスの一例としてのスタイラスペン１２０とを備える。筐体１１０は、筐体１１０およびスタイラスペン１２０の少なくともいずれか一方に設けられている磁石の磁力により、筐体１１０上に載置されたスタイラスペン１２０を着脱可能に保持する保持部１３０を有する。【選択図】図１
2011100221.tif 000002
【特許請求の範囲】
【請求項１】
筐体と、
情報入力用の入力デバイスと
を備え、
前記筐体は、
前記筐体および前記入力デバイスの少なくともいずれか一方に設けられている磁石により、当該筐体上に載置された前記入力デバイスを着脱可能に保持する保持部を有する
ことを特徴とする情報処理装置。
【請求項２】
前記筐体は表示装置をさらに備え、
前記表示装置の表示画面は、前記筐体が有する複数の面のうち一の面に設けられ、
前記保持部は、前記表示画面と平面視で重ならない領域に設けられている
ことを特徴とする請求項１に記載の情報処理装置。
【請求項３】
前記筐体は第２の保持部をさらに備えている
ことを特徴とする請求項２に記載の情報処理装置。
【請求項４】
前記保持部および前記第２の保持部は、前記一の面上に設けられている
ことを特徴とする請求項３に記載の情報処理装置。
【請求項５】
前記保持部は、前記一の面上に設けられ、
前記第２の保持部は、前記筐体が有する複数の面のうち前記一の面とは異なる面上に設けられている
ことを特徴とする請求項３に記載の情報処理装置。
【請求項６】
前記入力デバイスは、
前記磁石を有し、
前記保持部は、
磁性体を有し、当該磁性体に前記磁石を吸着させることで、前記入力デバイスを保持する
ことを特徴とする請求項１乃至５のいずれか１項に記載の情報処理装置。
【請求項７】
前記入力デバイスは、筒状の形状を有し、
前記磁石は、前記入力デバイスの内周または外周に沿って湾曲して設けられている
ことを特徴とする請求項６に記載の情報処理装置。
【請求項８】
前記入力デバイスは、筒状の形状を有し、
前記磁石は、前記入力デバイスの内周または外周に沿って複数設けられている
ことを特徴とする請求項６に記載の情報処理装置。
【請求項９】
前記入力デバイスは、
磁性体を有し、
前記保持部は、
前記磁石を有し、当該磁石に前記磁性体を吸着させることで、前記入力デバイスを保持する
ことを特徴とする請求項１乃至５のいずれか１項に記載の情報処理装置。
【請求項１０】
前記入力デバイスは、筒状の形状を有し、
前記磁性体は、前記入力デバイスの内周または外周に沿って湾曲して設けられている
ことを特徴とする請求項９に記載の情報処理装置。
【請求項１１】
前記入力デバイスは、筒状の形状を有し、
前記磁性体は、前記入力デバイスの内周または外周に沿って複数設けられている
ことを特徴とする請求項９に記載の情報処理装置。
【請求項１２】
前記保持部は、前記筐体が有する凹部に設けられており、
前記凹部の深さは、前記入力デバイスの最も太い部分の半径よりも小さい
ことを特徴とする請求項１乃至１１のいずれか１項に記載の情報処理装置。
【請求項１３】
前記保持部による前記入力デバイスの保持状態を検出する検出手段と、
前記保持状態によって、当該情報処理装置の処理モードを切り替える切替手段と
をさらに備えることを特徴とする請求項１乃至１２のいずれか１項に記載の情報処理装置。
【請求項１４】
前記検出手段は、
前記入力デバイスに設けられた磁石による磁場を検出する磁気センサーを有し、
前記切替手段は、
前記磁気センサーの出力に基づいて、当該情報処理装置の処理モードを切り替える
ことを特徴とする請求項１３に記載の情報処理装置。
【発明の詳細な説明】
【技術分野】
【０００１】
本発明は、情報処理装置に関する。
【背景技術】
【０００２】
特許文献１には、スタイラスペンを収納するスタイラスペン収納部を備える携帯情報端末が記載されている。特許文献２には、複数の保持部でタッチペンを狭持することで、タッチペンを半固定する電子機器が記載されている。特許文献３には、ペン立て穴が設けられた座標読取装置が記載されている。
【先行技術文献】
【特許文献】
【０００３】
【特許文献１】特開２００４−３０１６０号公報
【特許文献２】特開平０７−２４８８６７号公報
【特許文献３】特開平１０−２０７６１０号公報
【発明の概要】
【発明が解決しようとする課題】
【０００４】
しかしながら、上記技術では、ユーザーに手間がかかる動作をおこなわせることなく、入力デバイスを一時的かつ安定的に保持することができない。
【０００５】
本発明に係る幾つかの態様は、上記課題を解決することで、ユーザーに手間がかかる動作をおこなわせることなく、入力デバイスを一時的かつ安定的に保持することができる、情報処理装置を提供するものである。
【課題を解決するための手段】
【０００６】
上記課題を解決するため、本発明の第１の態様の情報処理装置は、筐体と、情報入力用の入力デバイスとを備え、前記筐体は、前記筐体および前記入力デバイスの少なくともいずれか一方に設けられている磁石により、当該筐体上に載置された前記入力デバイスを着脱可能に保持する保持部を有することを特徴とする。係る構成によれば、ユーザーに手間がかかる動作をおこなわせることなく、入力デバイスを一時的かつ安定的に保持することができる。また、ユーザーが入力デバイスを再び手に取るときにも、簡単に手に取ることができ、手間がかかる動作は不要である。さらに、入力デバイスを保持するために磁力を利用するので、筐体や入力デバイスのデザイン性に影響を与えることがない。
【０００７】
上記情報処理装置において、前記筐体は表示装置をさらに備え、前記表示装置の表示画面は、前記筐体が有する複数の面のうち一の面に設けられ、前記保持部は、前記表示画面と平面視で重ならない領域に設けられていてもよい。係る構成によれば、表示装置による表示を妨げることなく、入力デバイスを一時的かつ安定的に保持することができる。
【０００８】
上記情報処理装置において、前記筐体は第２の保持部をさらに備えていてもよい。係る構成によれば、保持部が複数設けられているため、入力デバイスを置く場所の自由度を高めることができる。
【０００９】
上記情報処理装置において、前記保持部および前記第２の保持部は、前記一の面上に設けられていてもよい。係る構成によれば、保持部が情報処理装置の前面に複数設けられているため、入力デバイスを置く場所の自由度を高めることができる。
【００１０】
上記情報処理装置において、前記保持部は、前記一の面上に設けられ、前記第２の保持部は、前記筐体が有する複数の面のうち前記一の面とは異なる面上に設けられていてもよい。係る構成によれば、保持部が情報処理装置の前面以外の面にも設けられているため、入力デバイスを置く場所の自由度を高めることができる。
【００１１】
上記情報処理装置において、前記入力デバイスは、前記磁石を有し、前記保持部は、磁性体を有し、当該磁性体に前記磁石を吸着させることで、前記入力デバイスを保持してもよい。係る構成によれば、入力デバイスの外装部または内部に磁石を設置することで、情報処理装置の筐体に設けられる磁性体は薄い板状または任意の形状に成形することができ、筐体におけるデザインおよび空間的な影響を小さくすることができる。
【００１２】
上記情報処理装置において、前記入力デバイスは、筒状の形状を有し、前記磁石は、前記入力デバイスの内周または外周に沿って湾曲して設けられていてもよい。係る構成によれば、磁石による磁界は、入力デバイスの外周面の周に沿って広い範囲にわたって作用するため、ユーザーは、入力デバイスの軸の周りの回転角に注意を払うことなく、入力デバイスを保持部に置くことができる。
【００１３】
上記情報処理装置において、前記入力デバイスは、筒状の形状を有し、前記磁石は、前記入力デバイスの内周または外周に沿って複数設けられていてもよい。係る構成によれば、環状の磁石を設けた場合よりも、磁石の設置面積を小さくすることができるため、入力デバイスの軽量化を図ることができる。
【００１４】
上記情報処理装置において、前記入力デバイスは、磁性体を有し、前記保持部は、前記磁石を有し、当該磁石に前記磁性体を吸着させることで、前記入力デバイスを保持してもよい。係る構成によれば、筐体の外装部または内部に磁石を設置することで、入力デバイスに設けられる磁性体は、入力デバイスの外装やクリップ部などにあわせた任意の形状に成形することができ、入力デバイスにおけるデザイン及び空間的な影響を小さくすることができる。
【００１５】
上記情報処理装置において、前記入力デバイスは、筒状の形状を有し、前記磁性体は、前記入力デバイスの内周または外周に沿って湾曲して設けられていてもよい。係る構成によれば、磁石による磁界は、入力デバイスの外周面の周に沿って広い範囲にわたって作用するため、ユーザーは、入力デバイスの軸の周りの回転角に注意を払うことなく、入力デバイスを保持部に置くことができる。
【００１６】
上記情報処理装置において、前記入力デバイスは、筒状の形状を有し、前記磁性体は、前記入力デバイスの内周または外周に沿って複数設けられていてもよい。係る構成によれば、環状の磁性体を設けた場合よりも、磁性体の設置面積を小さくすることができるため、入力デバイスの軽量化を図ることができる。
【００１７】
上記情報処理装置において、前記保持部は、前記筐体が有する凹部に設けられており、前記凹部の深さは、前記入力デバイスの最も太い部分の半径よりも小さくてもよい。係る構成によれば、入力デバイスは、入力デバイスの径が大きい部分が正面から突出した状態で保持部に保持されるため、ユーザーは、入力デバイスを保持部から容易に取り出すことができる。
【００１８】
上記情報処理装置において、前記保持部による前記入力デバイスの保持状態を検出する検出手段と、前記保持状態によって、当該情報処理装置の処理モードを切り替える切替手段とをさらに備えてもよい。係る構成によれば、情報処理装置のユーザーがスイッチ等の操作をすることなく、電源の切・入や低電力モードへの移行などを行うことができる。
【００１９】
上記情報処理装置において、前記検出手段は、前記入力デバイスに設けられた磁石による磁場を検出する磁気センサーを有し、前記切替手段は、前記磁気センサーの出力に基づいて、当該情報処理装置の処理モードを切り替えてもよい。係る構成によれば、入力デバイスの保持状態を検出するために磁場を利用するので、筐体や入力デバイスのデザイン性に影響を与えることがない。
【図面の簡単な説明】
【００２０】
【図１】実施形態に係る携帯情報端末１００の構成例を示す。
【図２】スタイラスペン１２０を保持した状態の携帯情報端末１００の外観を示す。
【図３】磁石１２４を有するスタイラスペン１２０の断面Ｂ−Ｂ’の例を示す。
【図４】スタイラスペン１２０および保持部１３０の断面Ｂ−Ｂ’を示す。
【図５】スタイラスペン１２０の断面Ｂ−Ｂ’の他の例を示す。
【図６】スタイラスペン１２０の断面Ｂ−Ｂ’の他の例を示す。
【図７】スタイラスペン１２０の断面Ｂ−Ｂ’の他の例を示す。
【図８】スタイラスペン１２０の断面Ｂ−Ｂ’の他の例を示す。
【図９】スタイラスペン１２０および保持部１３０の断面Ａ−Ａ’を示す。
【図１０】保持部１３０の他の構成例を示す。
【図１１】保持部１３０の他の構成例を示す。
【図１２】保持部１３０の他の配置例を示す。
【図１３】保持部１３０の他の配置例を示す。
【図１４】保持部１３０の他の配置例を示す。
【図１５】保持部１３０の他の配置例を示す。
【図１６】保持部１３０の他の配置例を示す。
【図１７】筐体１１０が回転された状態の携帯情報端末１００の外観を示す。
【図１８】検出手段の構成例を示す。
【図１９】検出手段の他の構成例を示す。
【図２０】携帯情報端末１００の他の構成例を示す。
【発明を実施するための形態】
【００２１】
＜実施例１＞
図１は、実施形態に係る携帯情報端末１００の構成例を示す。図２は、スタイラスペン１２０を保持した状態の携帯情報端末１００を示す。本実施形態では、本発明の情報処理装置の一例として、スタイラスペン１２０によって情報を入力する携帯情報端末１００について説明する。携帯情報端末１００は、ＰＤＡ（Personal Digital Assistant）、携帯電話、携帯音楽再生装置、携帯動画再生装置、携帯ナビゲーション装置であってもよい。なお、以降の説明において、方向を用いて携帯情報端末１００の構成および動作を説明している箇所がある。これらの方向は、特に説明しない限り、ユーザーの視点にからの方向を示す。
【００２２】
携帯情報端末１００は、筐体１１０と、入力デバイスとしてのスタイラスペン１２０と、を備える。筐体１１０は、電源、ＣＰＵ、メモリー、ハードディスクなど、携帯情報端末１００を動作させるための各種ハードウェアを収容する。筐体１１０は複数の面を有する。このうち、正面１１０Ａ（第１の面）には、開口部が設けられ、当該開口部には表示装置の表示画面１１２が設けられている。表示画面１１２の上にはタッチパネル（図示せず）が設けられている。正面１１０Ａとは、筐体１１０が有する複数の面のうち、ユーザーがスタイラスペン１２０を用いてタッチパネルに対して情報を入力する場合に、ユーザーと対向する、筐体１１０の面を示す。
【００２３】
表示画面１１２は、各種データを表示する。表示画面１１２の上に設けられたタッチパネルによって、スタイラスペン１２０による情報入力を受け付けるが、タッチパネルの代わりに表示画面１１２の下に設けた電磁誘導センサボード等によってスタイラスペン１２０による情報入力を受け付けてもよい。本実施形態の携帯情報端末１００は、表示装置として、電気泳動方式を利用した電子ペーパーを用いている。表示装置は、電子ペーパーに限らず、液晶ディスプレイ、プラズマディスプレイ、有機ＥＬ（Electro Luminescence）ディスプレイなど、他の表示装置であってもよい。
【００２４】
スタイラスペン１２０は、筐体１１０とは別体で設けられている。スタイラスペン１２０は、タッチパネルに対して情報を入力する入力デバイスである。携帯情報端末１００は、表示画面１１２の上に設けられているタッチパネルによって、スタイラスペン１２０の接触または押圧を検出する。そして、携帯情報端末１００は、検出した接触または押圧の位置および軌跡に基づいて、スタイラスペン１２０によって入力された情報を特定する。そして、携帯情報端末１００は、特定した情報に基づいて、所定の処理をおこなう。たとえば、携帯情報端末１００は、スタイラスペン１２０によって書き込まれた注釈データを、表示画面１１２に表示されている文書データと対応付けてメモリー、ハードディスクなどの記憶媒体に格納する。入力デバイスは、スタイラスペン１２０に限らず、マウス、キーボードなどであってもよい。
【００２５】
正面１１０Ａには、表示画面１１２と平面視で重ならない領域に保持部１３０（第１の保持部）が設けられている。保持部１３０は、正面１１０Ａに載置されたスタイラスペン１２０を着脱可能に保持する。具体的には、保持部１３０は、筐体１１０およびスタイラスペン１２０の少なくともいずれか一方に設けられている磁石１２４により、筐体１１０の表面に載置されたスタイラスペン１２０を着脱可能に保持する。
【００２６】
図１に示す例では、保持部１３０は、正面１１０Ａの右枠部において、携帯情報端末１００の上下方向（携帯情報端末１００の長手方向）に延びる形状を有している。右枠部とは、携帯情報端末１００の長手方向が上下方向になるように使用されるとき、正面１１０Ａ上の表示画面１１２の周囲の領域のうち、表示画面１１２よりも右側の領域を示す。図２に示すように、保持部１３０は、正面１１０Ａの右枠部において、スタイラスペン１２０の軸方向が携帯情報端末１００の上下方向となっている状態で、スタイラスペン１２０を保持することができる。
【００２７】
図３は、磁石１２４を有するスタイラスペン１２０の断面Ｂ−Ｂ’を示す。スタイラスペン１２０は、本体１２２、磁石１２４、およびクリップ１２６を有する。図３に示したスタイラスペン１２０の断面形状や磁石１２４の断面形状は一例であり、これに限定されるものではない。また、図３に示したスタイラスペン１２０では、磁石１２４はスタイラスペン１２０の内部に設けられているが、磁石１２４はスタイラスペン１２０の本体１２２の外周面から露出していてもよい。
【００２８】
図４は、保持部１３０がスタイラスペン１２０を保持している状態にあるときの、スタイラスペン１２０および保持部１３０の断面Ｂ−Ｂ’を示す。図９は、保持部１３０がスタイラスペン１２０を保持している状態にあるときの、スタイラスペン１２０および保持部１３０の断面Ａ−Ａ’を示す。
【００２９】
正面１１０Ａには凹部１３２が設けられており、凹部１３２には保持部１３０が設けられている。スタイラスペン１２０は凹部１３２に載置されるため、凹部１３２の段差により、スタイラスペン１２０の滑り移動および転がり移動が、凹部１３２内に制限される。つまり、スタイラスペン１２０が不用意に保持部１３０の外へ移動することが防止される。
【００３０】
凹部１３２は、スタイラスペン１２０の長さよりも大きい、長手方向（携帯端末１００の上下方向）の長さを有する。また、凹部１３２は、スタイラスペン１２０の径よりも大きい、短手方向（携帯端末１００の左右方向）の幅を有する。すなわち、凹部１３２は、スタイラスペン１２０の外形よりも大きい。これにより、ユーザーは容易に凹部１３２の領域内に、スタイラスペン１２０を載置することができる。
【００３１】
一方、凹部１３２は、スタイラスペン１２０の最も太い部分の半径Ｌ１よりも小さい深さＬ２（携帯端末１００の奥行き方向の長さ）を有する。これにより、図４に示したように、スタイラスペン１２０は、スタイラスペン１２０の径が大きい部分Ｈが正面１１０Ａから突出した状態で保持部１３０に保持されるため、ユーザーは、スタイラスペン１２０を保持部１３０から容易に取り出すことができる。
【００３２】
スタイラスペン１２０は、磁石１２４を有する。スタイラスペン１２０の本体１２２は筒状となっている。また、磁石１２４は、筒状の本体１２２の内周面に設けられている。スタイラスペン１２０の本体１２２は棒状となっていてもよい。磁石１２４は、棒状の本体１２２の外周面に埋め込まれていてもよい。磁石１２４は、永久磁石でもよく、電磁石でもよい。凹部１３２には、磁性体１３４が設けられている。図９に示す例では、磁性体１３４は、凹部１３２の表面上に設けられている。スタイラスペン１２０に設けられた磁石１２４と凹部１３２に設けられた磁性体１３４との間に働く磁力によって、磁石１２４が磁性体１３４に吸着される。このようにして、保持部１３０はスタイラスペン１２０を保持することができる。
【００３３】
本実施形態の携帯情報端末１００によれば、保持部１３０が磁性体１３４を有することにより、より安定的に、スタイラスペン１２０を保持することができる。ユーザーは、スタイラスペン１２０に力を加えることなく、スタイラスペン１２０を凹部１３２に載置するだけで、スタイラスペン１２０をより安定的に保持部１３０に保持させることができる。
【００３４】
また、保持部１３０が磁石１２４と磁性体１３４との間に働く磁力によってスタイラスペン１２０を吸着することでスタイラスペン１２０を保持するため、スタイラスペン１２０の形状を問わず、スタイラスペン１２０を保持することができる。これにより、スタイラスペン１２０の形状の自由度を高めることができる。また、保持部１３０が磁力によってスタイラスペン１２０を吸着することでスタイラスペン１２０を保持するため、スタイラスペンを嵌め込むなどの力の必要な動作をユーザーにおこなわせることなく、スタイラスペン１２０を容易に脱着させることができる。
【００３５】
また、スタイラスペン１２０を安定的に保持することができるため、筐体１１０の内部にスタイラスペン１２０を収納するための収納部を設けなくてもよく、筐体１１０を小型化および薄型化することができる。また、正面１１０Ａ上の、表示画面１１２と平面視で重ならない領域に、保持部１３０を設けたため、表示装置による表示を妨げることなく、入力デバイスを一時的かつ安定的に保持することができる。さらに、ユーザーは、スタイラスペンの使用動作と、スタイラスペンを保持させる動作とを、少ない手の移動量で素早く切り替えることができる。
【００３６】
なお、磁性体１３４は、スタイラスペン１２０に設けられていてもよい。この場合、磁石１２４が保持部１３０に設けられる。当該保持部１３０に設けられた磁石１２４が、スタイラスペン１２０に設けられた磁性体１３４を吸着することで、スタイラスペン１２０が保持部１３０に保持される。磁石１２４は、スタイラスペン１２０および保持部１３０の双方に設けられていてもよい。
【００３７】
ここで、磁石１２４は、スタイラスペン１２０の本体１２２の内周面の全域に設けられておらず、図４に示したように、本体１２２の内周面の一部の領域に設けられている。磁石１２４の磁場は、本体１２２の外周面の一部に作用する。これにより、保持部１３０は、本体１２２の外周面の所定の領域が所定の方向を向いている状態で、スタイラスペン１２０を保持することができる。たとえば、図４に示す例では、本体１２２の外周面には、クリップ１２６が設けられている。磁石１２４は、本体１２２の内周面において、クリップ１２６が設けられている方向とは反対の方向に設けられている。これにより、保持部１３０は、常に本体１２２の外周面に設けられているクリップ１２６が上方を向いている状態で、スタイラスペン１２０を吸着することができる。
【００３８】
正面１１０Ａは凹部１３２を有しなくてもよい。この場合、磁性体１３４は、正面１１０Ａに覆われていてもよい。また、正面１１０Ａには、スタイラスペン１２０を保持することが可能な位置および領域の少なくともいずれか一方を示す識別情報が記されていてもよい。保持部１３０が凹部１３２に設けられている場合、磁性体１３４は、凹部１３２の表面に覆われていてもよい。すなわち、磁性体１３４は、筐体の内部に設けられていてもよい。この場合、凹部１３２の表面には、磁性体１３４の位置を示す識別情報が記されていてもよい。また、磁性体１３４は、凹部１３２の表面とは別に設けられていてもよく、凹部１３２の表面自体が磁性体１３４によって形成されているものであってもよい。
＜実施例２＞
【００３９】
図５−図８は、スタイラスペン１２０の断面Ｂ−Ｂ’の他の例を示す。磁石１２４がスタイラスペン１２０に設けられている場合、図５に示したように、磁石１２４は、スタイラスペン１２０の本体１２２の内周面の一部または本体１２２の外周面の一部に沿って設けられていてもよい。この構成によれば、磁石１２４による磁界は、本体１２２の外周面の周に沿って広い範囲にわたって作用するため、保持部１３０は、本体１２２の外周面に設けられているクリップ１２６が様々な方向を向いている状態で、スタイラスペン１２０を吸着することができる。つまり、ユーザーは、スタイラスペン１２０の軸の周りの回転角に注意を払うことなく、スタイラスペン１２０を保持部に載置することができる。この場合、スタイラスペン１２０の内周面または外周面に沿って湾曲した磁石をスタイラスペン１２０に設けてもよいし、図６に示したように、湾曲した磁石あるいは湾曲していない磁石を内周面または外周面に沿って複数設けても良い。
【００４０】
特に、図７に示したように磁石１２４を環状に設ければ、クリップ１２６の方向の自由度が最大になり、ユーザーはクリップ１２６の方向、つまり、スタイラスペン１２０軸の周りの回転角を意識せずに、スタイラスペン１２０を容易に保持部１３０に載置することができる。この場合、環状の磁石をスタイラスペン１２０に設けてもよいし、図８に示したように、湾曲した磁石あるいは湾曲していない磁石を内周面または外周面に沿って複数設けても良い。図６や図８に示したように複数の磁石を間隔を空けて設けた場合、図７に示したように環状の磁石を設けた場合よりも軽量化を図ることができる。
【００４１】
磁性体１３４がスタイラスペン１２０に設けられている場合には、磁性体１３４は、スタイラスペン１２０の本体１２２の内周面の一部または本体１２２の外周面の一部に沿って設けられていてもよい。この構成によれば、保持部１３０は、本体１２２の外周面に設けられているクリップ１２６がいろんな方向を向いている状態で、スタイラスペン１２０を吸着することができる。この場合、スタイラスペン１２０の内周面または外周面に沿って湾曲した磁性体をスタイラスペン１２０に設けてもよいし、湾曲した磁性体あるいは湾曲していない磁性体を内周面または外周面に沿って複数設けても良い。特に、磁性体１３４を環状に設ければ、クリップ１２６の方向の自由度が最大になり、ユーザーはクリップ１２６の方向を意識せずに、スタイラスペン１２０を容易に保持部１３０に載置することができる。この場合、環状の磁性体をスタイラスペン１２０に設けてもよいし、複数の磁性体を本体１２２の内周面または外周面に沿って設けても良い。
＜実施例３＞
【００４２】
図１０は、保持部１３０の他の構成例を示す。図１０に示すスタイラスペン１２０は、当該スタイラスペン１２０の内周面において、スタイラスペン１２０の軸方向に、複数の磁石１２４が設けられている点で、図９に示したスタイラスペン１２０と構成が異なる。これに応じて、磁性体１３４は、スタイラスペン１２０に設けられた複数の磁石１２４を吸着することにより、スタイラスペン１２０を複数点で吸着する。これにより、保持部１３０は、当該保持部１３０によって保持されているスタイラスペン１２０が、磁石１２４を軸として回転してしまうことを防止することができる。
＜実施例４＞
【００４３】
図１１は、保持部１３０の他の構成例を示す。保持部１３０は、スタイラスペン１２０を吸着するための磁性体１３４に加えて、さらに切欠部１３６を備えてもよい。図１１に示す保持部１３０は、凹部１３２の表面に切欠部１３６が設けられている。切欠部１３６には、凹部１３２に収容されたスタイラスペン１２０のクリップ１２６が嵌め合わされる。これにより、保持部１３０は、凹部１３２の領域内で、スタイラスペン１２０をさらに安定的に保持することができる。また、保持部１３０は、スタイラスペン１２０に磁石１２４が設けられていない場合であっても、クリップ１２６が設けられているスタイラスペン１２０であれば、クリップ１２６を切欠部１３６に嵌め合わせることで、凹部１３２の領域内で、スタイラスペン１２０を安定的に保持することができる。保持部１３０は、スタイラスペン１２０を吸着するための磁性体１３４に加えて、スタイラスペン１２０の少なくとも一部に嵌合する、切欠部１３６以外の嵌合部材をさらに備えてもよい。
＜実施例５＞
【００４４】
図１２は、保持部１３０の他の配置例を示す。図１２に示す携帯情報端末１００は、筺体１１０の右側面１１０Ｂに保持部１３０が設けられている。このように、保持部１３０は、筺体１１０の正面１１０Ａに限らず、筺体１１０の他の面に設けられていてもよい。これにより、携帯情報端末１００は、たとえば正面１１０Ａに保持部１３０を設けるための十分なスペースがない場合であっても、他の面に設けられた保持部１３０によって、スタイラスペン１２０を保持することができる。保持部１３０は、筺体１１０が有する複数の面に設けられていてもよい。たとえば、図示していないが、第１の保持部１３０を筺体１１０の正面１１０Ａに設け、第２の保持部１３０を筺体１１０の側面に設けてもよい。また、筺体１１０の複数の面各々に表示画面１１２が設けられている場合、表示画面１１２が設けられている複数の表面のそれぞれに、保持部１３０が設けられていてもよい。
＜実施例６＞
【００４５】
図１３は、保持部１３０の他の配置例を示す。図１３に示す携帯情報端末１００は、正面１１０Ａ上に、複数の保持部１３０を備える。具体的には、正面１１０Ａの右枠部には、保持部１３０Ａ（第１の保持部）が設けられている。また、正面１１０Ａの左枠部には、保持部１３０Ｂ（第２の保持部）が設けられている。左枠部とは、正面１１０Ａ上の表示画面１１２の周囲の領域のうち、表示画面１１２よりも左側の領域を示す。
【００４６】
保持部１３０Ａは、正面１１０Ａの右枠部において、スタイラスペン１２０の軸方向が携帯情報端末１００の上下方向となっている状態で、スタイラスペン１２０を保持することができる。保持部１３０Ｂは、正面１１０Ａの左枠部において、スタイラスペン１２０の軸方向が携帯情報端末１００の上下方向となっている状態で、スタイラスペン１２０を保持することができる。
【００４７】
右手でスタイラスペン１２０を利用するユーザーにとっては、右手から遠い位置に設けられている左枠部よりも、右手に近い位置に設けられている右枠部のほうが、スタイラスペン１２０を載置しやすい。一方、左手でスタイラスペン１２０を利用するユーザーにとっては、左手から遠い位置に設けられている右枠部よりも、左手に近い位置に設けられている左枠部のほうが、スタイラスペン１２０を載置しやすい。そこで、図１３に示す携帯情報端末１００は、右枠部に保持部１３０Ａを設け、左枠部に保持部１３０Ｂを設けている。これにより、右手でスタイラスペン１２０を利用するユーザー、および左手でスタイラスペン１２０を利用するユーザーのいずれに対しても、スタイラスペン１２０を容易に着脱させることができる。
＜実施例７＞
【００４８】
図１４および図１５は、保持部１３０の他の配置例を示す。図１４に示す携帯情報端末１００は、正面１１０Ａの下枠部に、保持部１３０Ｃがさらに設けられている点で、図１に示した携帯情報端末１００と異なる。図１５に示す携帯情報端末１００は、正面１１０Ａの下枠部に、保持部１３０Ｃがさらに設けられている点で、図１３に示した携帯情報端末１００と異なる。
【００４９】
下枠部とは、正面１１０Ａ上の表示画面１１２の周囲の領域のうち、表示画面１１２よりも下側の領域を示す。保持部１３０Ｃは、正面１１０Ａの下枠部において、スタイラスペン１２０の軸方向が携帯情報端末１００の左右方向となっている状態で、スタイラスペン１２０を保持することができる。
【００５０】
右手でスタイラスペン１２０を利用するユーザーにとっては、右手に近い位置に設けられている右枠部だけでなく、右手の可動範囲内に位置する下枠部にも、スタイラスペン１２０を載置しやすい。同様に、左手でスタイラスペン１２０を利用するユーザーにとっては、左手に近い位置に設けられている左枠部だけでなく、左手の可動範囲内に位置する下枠部にも、スタイラスペン１２０を載置しやすい。そこで、図１４に示す携帯情報端末１００は、図１に示した携帯情報端末１００に対して、正面１１０Ａの下枠部に保持部１３０Ｃをさらに設けている。また、図１５に示す携帯情報端末１００は、図１３に示した携帯情報端末１００に対して、正面１１０Ａの下枠部に保持部１３０Ｃをさらに設けている。
【００５１】
図１４に示す携帯情報端末１００によれば、右手でスタイラスペン１２０を利用するユーザーに対して、スタイラスペン１２０の載置場所の自由度を高めることができる。また、図１５に示す携帯情報端末１００によれば、右手でスタイラスペン１２０を利用するユーザー、および左手でスタイラスペン１２０を利用するユーザーのいずれに対しても、スタイラスペン１２０の載置場所の自由度を高めることができる。
＜実施例８＞
【００５２】
図１６は、保持部１３０の他の配置例を示す。図１６に示す携帯情報端末１００は、正面１１０Ａの上枠部に、保持部１３０Ｄがさらに設けられている点で、図１５に示した携帯情報端末１００と異なる。上枠部とは、正面１１０Ａ上の表示画面１１２の周囲の領域のうち、表示画面１１２よりも上側の領域を示す。保持部１３０Ｄは、正面１１０Ａの上枠部において、スタイラスペン１２０の軸方向が携帯情報端末１００の左右方向となっている状態で、スタイラスペン１２０を保持することができる。
【００５３】
携帯情報端末１００は、正面１１０Ａの右枠部および左枠部のいずれにおいても、スタイラスペン１２０の軸方向が携帯情報端末１００の上下方向となっている状態で、スタイラスペン１２０を保持することができる。また、携帯情報端末１００は、正面１１０Ａの上枠部および下枠部のいずれにおいても、スタイラスペン１２０の軸方向が携帯情報端末１００の左右方向となっている状態で、スタイラスペン１２０を保持することができる。本実施例によれば、保持部１３０が正面１１０Ａの右枠部、左枠部、上枠部、および下枠部のそれぞれに設けられている。よって、一つの携帯情報端末１００を複数のユーザーが同時に使用する場合であっても、それぞれのユーザーにとって都合の良い載置場所にペンを置くことができるため、使い勝手が非常に優れている。
＜実施例９＞
【００５４】
図１７は、筐体１１０の長手方向が左右方向になるように、筐体１１０が回転された状態の携帯情報端末１００の外観を示す。図１７に示す携帯情報端末１００は、図１６に示した携帯情報端末１００と同一の構成を有する。図１７に示す携帯情報端末１００は、筺体１１０が時計回りに略９０度回転されている点で、図１６に示した携帯情報端末１００と異なる。
【００５５】
携帯情報端末１００が図１６に示す状態にあるとき、表示画面１１２よりも右側の領域には、保持部１３０Ａが位置している。このとき、保持部１３０Ａは、表示画面１１２よりも右側の領域において、スタイラスペン１２０の軸方向が携帯情報端末１００の上下方向となっている状態で、スタイラスペン１２０を保持することができる。
【００５６】
一方、携帯情報端末１００が図１７に示す状態にあるとき、表示画面１１２よりも右側の領域には、保持部１３０Ｄが位置している。このとき、保持部１３０Ｄは、表示画面１１２よりも右側の領域において、スタイラスペン１２０の軸方向が携帯情報端末１００の上下方向となっている状態で、スタイラスペン１２０を保持することができる。
【００５７】
図１６および図１７に示す携帯情報端末１００によれば、保持部１３０Ａ、保持部１３０Ｂ、および保持部１３０Ｃに加えて保持部１３０Ｄを設けたことにより、ユーザーが筺体１１０を時計回りに略９０度回転させた場合であっても、筺体１１０を回転させる前と同様に、スタイラスペン１２０を容易に着脱させることができる。
＜実施例１０＞
【００５８】
図１８は、スタイラスペン１２０が保持部１３０に載置されているかどうかを検出する検出手段の構成例を示す。図１８に示す携帯情報端末１００は、検出手段の一例としての磁気センサー１４０、および切替手段の一例としての切替回路１５０をさらに備える。磁気センサー１４０および切替回路１５０は、筐体１１０の内部に設けられている。磁気センサー１４０は、保持部１３０によるスタイラスペン１２０の保持状態を検出する。切替回路１５０は、磁気センサーの出力、すなわち、保持部１３０によるスタイラスペン１２０の保持状態によって、携帯情報端末１００の処理モードを切り替える。
【００５９】
具体的には、磁気センサー１４０は、スタイラスペン１２０に設けられた磁石１２４による磁場を検出する。切替回路１５０は、磁気センサー１４０が検出した磁場に基づいて、携帯情報端末１００の処理モードを切り替える。たとえば、磁気センサー１４０は、検出した磁場に応じた電気信号を出力する。磁気センサー１４０が出力する電気信号は、デジタルでもアナログでもよい。切替回路１５０は、磁気センサー１４０から出力された電気信号に基づいて、携帯情報端末１００の処理モードを切り替える。切替回路１５０は、処理モードを識別するための電気信号をＣＰＵへ送信し、ＣＰＵが実行するプログラムを切り替えさせることにより、携帯情報端末１００の処理モードを切り替えてもよい。
【００６０】
切替回路１５０は、処理モードの一例として、携帯情報端末１００の電源のＯＮおよびＯＦＦを切り替えてもよい。切替回路１５０は、処理モードの一例として、スタイラスペン１２０による、入力モードおよび非入力モードを切り替えてもよい。切替回路１５０は、磁気センサー１４０から出力された電気信号を受信したことをもって、保持部１３０によってスタイラスペン１２０が保持されたと判断し、携帯情報端末１００の処理モードを切り替えてもよい。また、切替回路１５０は、磁気センサー１４０から出力された電気信号のレベルが、所定の閾値よりも高くなったことをもって、保持部１３０によってスタイラスペン１２０が保持されたと判断し、携帯情報端末１００の処理モードを切り替えてもよい。
【００６１】
反対に、切替回路１５０は、磁気センサー１４０から出力された電気信号を受信しなくなったことをもって、保持部１３０によってスタイラスペン１２０が保持されなくなったと判断し、携帯情報端末１００の処理モードを切り替えてもよい。また、切替回路１５０は、磁気センサー１４０から出力された電気信号のレベルが、所定の閾値よりも低くなったことをもって、保持部１３０によってスタイラスペン１２０が保持されなくなったと判断し、携帯情報端末１００の処理モードを切り替えてもよい。なお、検出手段は、磁気センサー１４０に限らず、たとえば、光センサーなどの他の非接触センサーを用いてもよい。
＜実施例１１＞
【００６２】
図１９は、検出手段の他の構成例を示す。図１９に示す携帯情報端末１００は、スイッチ１６０（検出手段）、および切替回路１５０（切替手段）をさらに備える点で、図１１に示した携帯情報端末１００と構成が異なる。図１９に示す携帯情報端末１００において、スイッチ１６０および切替回路１５０は、筐体１１０の内部に設けられている。切欠部１３６の表面には開口部が形成されている。スイッチ１６０は、当該スイッチ１６０が備えるボタン１６２が、切欠部１３６の開口部から空間内に突出した状態で、筐体１１０の内部に設けられている。切欠部１３６には、凹部１３２に収容されたスタイラスペン１２０のクリップ１２６が嵌め合わされる。このとき、スイッチ１６０のボタン１６２が、クリップ１２６によって押下される。これにより、スイッチ１６０は、保持部１３０によるスタイラスペン１２０の保持状態を検出する。
【００６３】
たとえば、スイッチ１６０は、切替回路１５０に接続される配線上に設けられる。スイッチ１６０は、切欠部１３６に対するクリップ１２６の着脱に伴って、押下状態と非押下状態との間で機械的に切り替えられる。これにより、スイッチ１６０は、配線の断線状態および導通状態を機械的に切り替える。
【００６４】
切替回路１５０は、スイッチ１６０の押下状態に基づいて、携帯情報端末１００の処理モードを切り替える。たとえば、切替回路１５０は、上記配線から電気信号が入力されたことをもって、保持部１３０によってスタイラスペン１２０が保持されたと判断し、携帯情報端末１００の処理モードを切り替えてもよい。反対に、切替回路１５０は、上記配線から電気信号が入力されなくなったことをもって、保持部１３０によってスタイラスペン１２０が保持されなくなったと判断し、携帯情報端末１００の処理モードを切り替えてもよい。なお、切替回路１５０は、上記配線から入力された電気信号の電流量または電圧量に基づいて、携帯情報端末１００の処理モードを切り替えてもよい。
＜実施例１２＞
【００６５】
図２０は、携帯情報端末１００の他の構成例を示す。図２０に示す携帯情報端末１００の筐体１１０の内部においては、表示画面１１２の周囲の全域に亘って、磁性体１３４が設けられている。これにより、携帯情報端末１００は、正面１１０Ａの枠部（表示画面１１２の周囲の領域）のいずれの場所であっても、スタイラスペン１２０を保持することができる。このため、スタイラスペン１２０の載置場所の自由度を高めることができる。ここで、図２０に示す携帯情報端末１００において、磁性体１３４は、たとえばメッシュ状に設けられている。このように、メッシュ状に磁性体１３４を設けることにより、重量の増加を抑えつつ、広範囲に亘って磁性体１３４を設けることができる。
【００６６】
以上説明したように、本実施形態の携帯情報端末１００によれば、スタイラスペン１２０または筐体１１０に設けられた磁石１２４により、スタイラスペン１２０が保持部１３０に着脱可能に保持される。これにより、スタイラスペン１２０を所定の位置に嵌め込むなどの手間がかかる動作をユーザーにおこなわせることなく、スタイラスペン１２０を載置させるだけで、スタイラスペン１２０を一時的かかつ安定的に携帯情報端末１００に保持することができる。
【符号の説明】
【００６７】
１００…携帯情報端末、１１０…筐体、１１０Ａ…正面、１１２…表示画面、１２０…スタイラスペン、１２２…本体、１２４…磁石、１２６…クリップ、１３０…保持部、１３２…凹部、１３４…磁性体、１３６…切欠部、１４０…磁気センサー、１５０…切替回路、１６０…スイッチ、１６２…ボタン
【図１】
2011100221.tif 000003
【図２】
2011100221.tif 000004
【図３】
2011100221.tif 000005
【図４】
2011100221.tif 000006
【図５】
2011100221.tif 000007
【図６】
2011100221.tif 000008
【図７】
2011100221.tif 000009
【図８】
2011100221.tif 000010
【図９】
2011100221.tif 000011
【図１０】
2011100221.tif 000012
【図１１】
2011100221.tif 000013
【図１２】
2011100221.tif 000014
【図１３】
2011100221.tif 000015
【図１４】
2011100221.tif 000016
【図１５】
2011100221.tif 000017
【図１６】
2011100221.tif 000018
【図１７】
2011100221.tif 000019
【図１８】
2011100221.tif 000020
【図１９】
2011100221.tif 000021
【図２０】
2011100221.tif 000022